(57)【要約】【課題】  従来の付箋紙の文字入力よりも大量の情報や可視化したくない情報を記録することできる付箋紙を提供する。【解決手段】  データの読み込み可能で従来の付箋紙の文字入力よりも大量の情報を記録することができて、かつ、可視化したくない情報を記録することができるデータの読み込み可能な記憶媒体のＩＣタグ２を一部に埋め込み、一端に媒体に着脱自在に貼付可能な貼付部８を付箋紙１に形成することで、付箋紙１を、従来の付箋紙の文字入力よりも大量の情報や可視化したくない情報を記録することができる付箋紙とする。【選択図】  図１
2007098597.tif 000002
【特許請求の範囲】
【請求項１】
一部にデータの読み書き可能な記憶媒体が埋め込まれ、一端に媒体に着脱自在に貼付可能な貼付部が形成されている
ことを特徴とする付箋紙。
【請求項２】
前記記憶媒体は、
非接触でデータの読み書き可能なＩＣタグである
ことを特徴とする請求項１記載の付箋紙。
【請求項３】
前記記憶媒体に記憶されたデータは、
暗号化されている
ことを特徴とする請求項１または２記載の付箋紙。
【請求項４】
前記記憶媒体に記憶されたデータの読み書きは、
パスワード等のユーザ認証によりセキュリティ保護されている
ことを特徴とする請求項１乃至３のいずれかに記載の付箋紙。
【発明の詳細な説明】
【技術分野】
【０００１】
本発明は、様々な媒体に貼り付け、取り外しが可能な付箋紙に関し、特に、従来の付箋紙の文字入力よりも大量の情報や可視化したくない情報を記録することできる付箋紙に関する。
【背景技術】
【０００２】
従来より、事務用品として付箋紙が知られている。
【０００３】
この付箋紙は、様々な媒体に貼り付け、取り外しが簡単に行えるので、例えば、書類を渡す際に注意書きを記述した付箋紙を該書類に貼り付けて相手に渡す等の様々な用途に使用されている。
【０００４】
また、特許文献１には、付箋紙底部の接着層がむき出しの状態とならない付箋紙が提供されている。
【特許文献１】特開２００５−１５３４８６号公報
【特許文献２】特開２００２−２０７９８４号公報
【発明の開示】
【発明が解決しようとする課題】
【０００５】
しかし、従来の付箋紙に情報を記録することは、付箋紙の紙面上に人が筆記用具で文字等を記述することで行われるが、付箋紙上の紙面は限られている為、付箋紙に記録される情報量は、紙面上に記述できる量に限られていた。
【０００６】
また、付箋紙に情報が記録される際には、付箋紙上に情報が記述されることで行われていたので、セキュリティ上可視化したくない情報を付箋紙上に記録することができなかった。
【０００７】
さて、特許文献２には、高価なＩＣタグを無駄にせず、必要とするラベルのみにＩＣタグを貼着するシステムおよびプリンタが提供されている。
【０００８】
以上の付箋紙の問題点を解決するために、この発明は、大量の情報や可視化できない情報が記録されるＩＣタグを使用して、従来の付箋紙の文字入力よりも大量の情報や可視化したくない情報を記録することができる付箋紙を提供することを目的とする。
【課題を解決するための手段】
【０００９】
上記目的を達成する為に、請求項１の発明は、付箋紙において、一部にデータの読み書き可能な記憶媒体が埋め込まれ、一端に媒体に着脱自在に貼付可能な貼付部が形成されていることを特徴とする。
【００１０】
また、請求項２の発明は、請求項１の発明において、前記記憶媒体は、非接触でデータの読み書き可能なＩＣタグであることを特徴とする。
【００１１】
また、請求項３の発明は、請求項１または２の発明において、前記記憶媒体に記憶されたデータは、暗号化されていることを特徴とする。
【００１２】
また、請求項４の発明は、請求項１乃至３のいずれかの発明において、前記記憶媒体に記憶されたデータの読み書きは、パスワード等のユーザ認証によりセキュリティ保護されていることを特徴とする。
【発明の効果】
【００１３】
本発明の付箋紙によれば、一部にデータの読み書き可能な記憶媒体が埋め込まれ、一端に媒体に着脱自在に貼付可能な貼付部が形成されているように構成したので、従来の付箋紙の文字入力よりも大量の情報や可視化したくない情報を記録することできるという効果を奏する。
【発明を実施するための最良の形態】
【００１４】
以下、本発明に係わる付箋紙の実施例について添付図面を参照して詳細に説明する。
【００１５】
図１は、本発明に係わる付箋紙の概略を示す模式図であり、図１（ａ）は付箋紙１を表から見た模式図であり、図１（ｂ）は付箋紙１を裏から見た模式図であり、図（ｃ）は複数枚の付箋紙１が重ねられて束になった状態を示す模式図である。
【００１６】
図１（ａ）に示すように付箋紙１には、付箋紙１の一部に、データの読み込み、書き込みが可能な記憶媒体であるＩＣタグ２が埋め込まれている。
【００１７】
また、図１（ｂ）に示すように、付箋紙１には、付箋紙１が媒体に対して自由に貼り付けを行うことができるように、また、付箋紙１が媒体に対して自由に取り外しを行うことができるように、付箋紙１の裏側の一端に貼付部８が形成されている。
【００１８】
また、図１（ｃ）に示すように、付箋紙１は、複数枚の付箋紙１を重ねて束になった状態にすることができ、複数の付箋紙１の持ち運びを便利にすることができる。
【００１９】
次に、付箋紙１が使用される状況について図２を参照して説明する。
【００２０】
図２は、付箋紙１が書類等の媒体３に貼り付けられた様子を示す模式図である。
【００２１】
図２に示すように、付箋紙１は、書籍等の媒体３に自由に貼り付けが行われ、また、自由に取り外しが可能である。
【００２２】
また、媒体３に貼り付けられた付箋紙１は、取り外しを行った後の再貼り付けも可能である。
【００２３】
次に、付箋紙１に埋め込まれたＩＣタグ２へ情報の読み込み、書き込みを行う機器について図３を参照して説明する。
【００２４】
図３は、付箋紙１に埋め込まれたＩＣタグ２へ情報の読み込み、書き込みを行う機器について示した模式図である。
【００２５】
図３に示すように、付箋紙１に埋め込まれたＩＣタグ２への情報の読み込み、書き込みは、携帯電話４、デジタルカメラ５、パーソナルコンピュータ６によって情報の読み込み、書き込みが可能である。
【００２６】
ここで、携帯電話４、デジタルカメラ５、パーソナルコンピュータ６は、ＩＣタグに対する情報の読取装置、書き込み装置となる。
【００２７】
このように、携帯電話４、デジタルカメラ５、パーソナルコンピュータ６によって付箋紙１に埋め込まれたＩＣタグ２に情報を書き込むことができるので、付箋紙１に対して、不可視の情報を記録することが可能となる。
【００２８】
また、付箋紙１に書き込まれた不可視の情報は、携帯電話４、デジタルカメラ５、パーソナルコンピュータ６によって読み込むことが行われる。
【００２９】
また、ＩＣタグ２には暗号化して情報を書き込むことも可能であり、書き込まれる情報が暗号化されることによって、許可された特定の人に対してのみ情報を入手できるようにすることができる。
【００３０】
さらに、携帯電話４、デジタルカメラ５、パーソナルコンピュータ６を使用してＩＣタグ２の情報の読み込み、書き込みを行う際に、パスワード等のユーザ認証を必要にすることもでき、それにより、ＩＣタグ２に書き込まれた情報がセキュリティ保護される。
【００３１】
次に、ＩＣタグ２に情報が書き込まれ、付箋紙１の表面に印刷が行われた付箋紙１を大量に作ることができる付箋紙シート７について図４を参照して説明する。
【００３２】
図４は、ＩＣタグ２に情報が書き込まれ、付箋紙１の表面に印刷が行われた付箋紙１を大量に作ることができる付箋紙シート７について示した模式図である。
【００３３】
図４に示すように、付箋紙シート７には、ＩＣタグ２が埋め込まれた付箋紙１が複数枚配置されており、専用のプリンタによって、配置された付箋紙１の表面への印刷とＩＣタグ２への情報の書き込みが行われる。
【００３４】
次に、付箋紙シート７に配置された付箋紙１に対して、付箋紙１の表面の印刷とＩＣタグ２への情報の書き込みをすることができる専用プリンタについて図５を参照して説明する。
【００３５】
図５は、図４に示した付箋紙シート７に配置された付箋紙１に対して、付箋紙１の表面の印刷とＩＣタグ２への情報の書き込みをすることができる専用プリンタ１０の要部の構成を示す構成図である。
【００３６】
図５に示すように、専用プリンタ１０は、ネットワーク３５よりパーソナルコンピュータ３０と接続可能に構成される。
【００３７】
また、図５に示すように、専用プリンタ１０は、給紙トレイ１１、手差しトレイ１２、原稿読取り機１３、ネットワークインタフェース１４、露光装置１５、感光ドラム１６、現像器１７、転写ドラム１８、定着器１９、情報書込み部２０、ＣＰＵ２１、排紙トレイ２２を備えている。
【００３８】
給紙トレイ１１は、付箋紙シート７を収納し、手差しトレイ１２は、手差しトレイ１２に配置される付箋紙シート７を給紙トレイ１１より優先的に転写ドラム１８に搬送する。
【００３９】
原稿読取り機１３は、専用プリンタ１０において複写が行われる場合に、複写される原稿の画像データを読取る。
【００４０】
ネットワークインタフェース１４はパーソナルコンピュータ３０より印刷指示とＩＣタグ２への情報書込み指示とを受信する。
【００４１】
露光装置１５は、印刷される画像データの静電潜像を感光ドラム１６に形成する。
【００４２】
感光ドラム１６は、露光装置１５によって静電潜像が形成されて、感光ドラム１６によってトナー像が形成されて、形成されたトナー像を転写ドラム１８によって、搬送されてくる付箋紙シート７に転写する。
【００４３】
現像器１７は、感光ドラム１６に形成された静電潜像を現像して感光ドラム１６にトナー像を形成する。
【００４４】
転写ドラム１８は、感光ドラム１６に形成されたトナー像を、搬送されてくる付箋紙シート７に転写する。
【００４５】
定着器１９は付箋紙シート７に転写されたトナーの定着を行う。
【００４６】
情報書込み部２０では、搬送されてくる付箋紙シート７に配置されている付箋紙１のＩＣタグ２に対して、情報の書込みが行われる。
【００４７】
ＣＰＵ２１は専用プリンタ１０の動作制御を行う。
【００４８】
排紙トレイ２２は、印刷されてＩＣタグ２に情報が書き込まれた付箋紙シート７を蓄える。
【００４９】
この専用プリンタ１０を使用してユーザが、付箋紙シート７に印刷を行いＩＣタグ２に情報を書き込む場合には、専用プリンタ１０の手差しトレイ１２または給紙トレイ１１に付箋紙シート７をセットし、パーソナルコンピュータ３０より、印刷する情報とＩＣタグ２に書き込む情報とを入力する。
【００５０】
パーソナルコンピュータ３０に印刷する情報とＩＣタグ２に書き込む情報とが入力されると、ネットワーク３５を通して入力された情報が専用プリンタ１０に送られる。
【００５１】
専用プリンタ１０では、印刷する情報とＩＣタグ２に書き込む情報とをネットワークインタフェース１４で受け付けると、給紙トレイ１１或いは手差しトレイ１２にセットされた付箋紙シート７を転写ドラム１８に搬送する。
【００５２】
そして、ネットワークインタフェース１４で受け付けた印刷する情報が、露光装置１５によって、感光ドラム１６に静電潜像として形成され、現像器１７によって感光ドラム１６に現像されたトナー像が転写ドラム１８によって搬送された付箋紙シート７に転写される。
【００５３】
トナー像が転写された付箋紙シート７は、定着器１９によって、トナー像の定着が行われ、さらに、情報書込み部２０に搬送される。
【００５４】
情報書込み部２０に搬送された付箋紙シート７は、ネットワークインタフェース１４でパーソナルコンピュータ３０より受け付けたＩＣタグ２に書き込む情報が、付箋紙シート７内のＩＣタグ２に対して書き込まれる。
【００５５】
ＩＣタグ２に情報が書き込まれた付箋紙シート７は、排紙トレイ２２に排紙される。
【００５６】
このように、パーソナルコンピュータ３０にネットワーク３５で接続された専用プリンタ１０により、付箋紙シート７の表面に印刷が行われて、さらに付箋紙１内のＩＣタグ２に情報が書き込まれる。
【００５７】
なお、本実施例では、専用プリンタ１０内の情報書込み部２０は、転写ドラム１８で搬送される付箋紙シート７にトナー像が転写されて定着器１９でトナー像の定着が行われた後の工程に位置されるように説明したが、専用プリンタ１０内の情報書込み部２０は、転写ドラムで付箋紙シート７にトナー像の定着が行われる前の工程に位置されるように専用プリンタ１０を構成しても良い。
【００５８】
なお、付箋紙シート７に行う印刷の原稿を原稿読取り機１３にセットして、原稿読取り機１３で読取った画像データが付箋紙シート７に印刷されるようにすることもできる。
【００５９】
なお、専用プリンタ１０は、ネットワークインタフェース１４で受信した印刷ジョブの印刷や原稿読取り機１３で読取った原稿の複写も行うことができる。
【００６０】
次に、付箋紙１に印刷を行い、付箋紙１内のＩＣタグ２に情報の書き込みを行うことができる専用のプリンタについて図６を参照して説明を行う。
【００６１】
図６は、付箋紙１に印刷を行い、付箋紙１内のＩＣタグ２に情報の書き込みを行うことができる専用のプリンタの一例である専用プリンタ４０を示す模式図である。
【００６２】
図６に示すように、付箋紙１専用の専用プリンタ４０は、パーソナルコンピュータ５０にケーブル５５によって電気的に接続されており、パーソナルコンピュータ５０によって送られる、印刷する情報とＩＣタグ２に書き込む情報によって、専用プリンタ４０において付箋紙１に印刷が行われ、付箋紙１のＩＣタグ２に情報が書き込まれる。
【００６３】
このように、付箋紙１に情報を書き込める専用プリンタ４０を使用することにより、例えば、展示会等において、お客にパンフレットを配布する際に、より詳しい情報を希望する人には情報が記録された付箋紙１を専用プリンタ４０より印刷してパンフレットに貼り付けて配布される等の利用が行える。
【００６４】
次に、専用プリンタ４０の要部の内部構成例について図７を参照して説明を行う。
【００６５】
図７は、専用プリンタ４０の要部の内部構成例を示す構成図である。
【００６６】
図７に示すように、専用プリンタ４０は、付箋紙収納部４１、付箋紙送り部４２、画像形成部４３、情報書込み部４４、排出口４５、ＣＰＵ４６、ネットワークインタフェース４７を備える。
【００６７】
付箋紙収納部４１は、付箋紙１を収納し、付箋紙送り部４２は、付箋紙収納部４１に収納された付箋紙１を画像形成部４３に搬送する。
【００６８】
画像形成部４３は、搬送された付箋紙１の表面に印刷を行う。
【００６９】
情報書込み部４４は、画像形成部４３より印刷された付箋紙１のＩＣタグ２に対して、情報の書き込みを行う。
【００７０】
排出口４５は、情報書込み部４４で付箋紙１のＩＣタグ２に情報が書き込まれた付箋紙１が排出される。
【００７１】
ＣＰＵ４６は、専用プリンタ４０の動作制御を行う。
【００７２】
ネットワークインタフェース４７は、ケーブル５５を通してパーソナルコンピュータ５０より送られる、付箋紙１に印刷する情報とＩＣタグ２に書き込む情報とを受信する。
【００７３】
パーソナルコンピュータ５０を操作するユーザによって、パーソナルコンピュータ５０より専用プリンタ４０に、付箋紙１に印刷する情報とＩＣタグ２に書き込む情報とがケーブル５５を通して送信される。
【００７４】
専用プリンタ４０は、ネットワークインタフェース４７で、付箋紙１に印刷する情報とＩＣタグ２に書き込む情報を受信すると、付箋紙収納部４１に収納された付箋紙１が付箋紙送り部４２によって画像形成部４３に搬送され、画像形成部４３で、受信した印刷する情報が付箋紙１に印刷される。
【００７５】
印刷が行われた付箋紙１は、情報書込み部４４に搬送され、付箋紙１内のＩＣタグ２にネットワークインタフェース４７で受信した情報が書き込まれ、排出口４５より排出される。
【００７６】
なお、画像形成部４３で印刷される情報と情報書込み部４４でＩＣタグ２への書込みが行われる情報とは、パーソナルコンピュータ５０より送信されるように説明したが、ユーザが印刷情報をＩＣタグ２への書込み情報とを入力する入力部と、入力された印刷情報とＩＣタグ２への書込み情報とを記憶する記憶部とを設けて、パーソナルコンピュータ５０なしの専用プリンタ４０単体で、付箋紙１への印刷とＩＣタグ２への情報の書込みが行えるようにすることもできる。
【００７７】
このように可視化したくない情報を付箋紙１のＩＣタグ２に記憶させることにより、可視化したくない情報が記憶された付箋紙が生成される。
【００７８】
この付箋紙１を利用することで、書籍、書類等の付箋紙１が貼付けされる媒体に直接書き込みすることができずに、且つ付箋紙１に記録したい情報が多い場合や記録したい情報が可視化したくない情報の場合には、ＩＣタグ２に情報を記憶させた付箋紙１を該媒体に貼り付けることで要求が満たされる。
【００７９】
また、ＩＣタグ２に記憶された情報は可視化されないので、会社内でのセキュリティが望まれる情報を伝える付箋紙として使用されることも可能である。
【００８０】
また、ＩＣタグ２の読み取りは非接触で行われるので、重要な書類に付箋紙１を貼り付けておくことで、書類の山から重要な書類の探査がＩＣタグ２の読み取りによって可能となる。
【００８１】
また、ＩＣタグ情報の読み取り装置をそなえた画像形成装置を使用して、付箋紙１を貼付した原稿のコピーやスキャンが行われる際には、ＩＣタグ２の情報の読み書きを同時に行うことも可能となる。
【００８２】
また、ＩＣタグ２の書き込み、読み取りにはセキュリティをかける事ができ、特定の人のみ、付箋紙１に記録されたＩＣタグ２の情報の書き込み、読み取りが行えるようにすることも可能である。
【００８３】
また、多様な製造現場で、製造物に付箋紙１を貼付して注意事項を読み書きすることで、後工程の作業者に対して注意事項を伝える用途にも使用できる。
【００８４】
また、付箋紙１が、貼り付けた媒体より剥がれた場合にはＩＣタグ２の情報を消去するようにすることも可能となる。
【産業上の利用可能性】
【００８５】
この発明は、様々な媒体に貼り付け、取り外しが可能な付箋紙および付箋紙に情報書込みを行う画像形成装置において利用可能である。
【００８６】
この発明によれば、従来の付箋紙の文字入力よりも大量の情報や可視化したくない情報を記録することできる。
【図面の簡単な説明】
【００８７】
【図１】本発明に係わる付箋紙の概略を示す模式図。
【図２】付箋紙１が書類等の媒体３に貼り付けられた様子を示す模式図。
【図３】付箋紙１に埋め込まれたＩＣタグ２へ情報の読み込み、書き込みを行う機器について示した模式図。
【図４】ＩＣタグ２に情報が書き込まれ、付箋紙１の表面に印刷が行われた付箋紙１を大量に作ることができる付箋紙シート７について示した模式図。
【図５】図４に示した付箋紙シート７に配置された付箋紙１に対して、付箋紙１の表面の印刷とＩＣタグ２への情報の書き込みをすることができる専用プリンタ１０の要部の構成を示す構成図。
【図６】付箋紙１に印刷を行い、付箋紙１内のＩＣタグ２に情報の書き込みを行うことができる専用のプリンタの一例である専用プリンタ４０を示す模式図。
【図７】専用プリンタ４０の要部の内部構成例を示す構成図。
【符号の説明】
【００８８】
１    付箋紙
２    ＩＣタグ
３    媒体
４    携帯電話
５    デジタルカメラ
６    パーソナルコンピュータ
７    付箋紙シート
８    貼付部
１０    専用プリンタ
１１    給紙トレイ
１２    手差しトレイ
１３    原稿読み取り機
１４    ネットワークインタフェース
１５    露光装置
１６    感光ドラム
１７    現像器
１８    転写ドラム
１９    定着器
２０    情報書込み部
２１    ＣＰＵ
２２    排紙トレイ
３０    パーソナルコンピュータ
３５    ネットワーク
４０    専用プリンタ
４１    付箋紙収納部
４２    付箋紙送り部
４３    画像形成部
４４    情報書込み部
４５    排出口
４６    ＣＰＵ
４７    ネットワークインタフェース
５０    パーソナルコンピュータ
５５    ケーブル
【図１】
2007098597.tif 000003
【図２】
2007098597.tif 000004
【図３】
2007098597.tif 000005
【図４】
2007098597.tif 000006
【図５】
2007098597.tif 000007
【図６】
2007098597.tif 000008
【図７】
2007098597.tif 000009